(57)【要約】      （修正有）【課題】獣くくり罠装置の構造を簡略化させ、且つ、簡単に設置できる狩猟捕獲罠を提供する。【解決手段】外管径の異なる２個の円筒１０、２０から成り、先端部にリング４０が取り付けられた金属製ワイヤー１に当該ワイヤー１を通すことで形成されるループ３０を円筒１０の側面に巻き付け、金属製のワイヤー１の他端部は金属製のバネが圧縮して収納されたパイプ５０内を貫通しスイベル８０を介してロープ２００に取り付けられ、円筒１０が降下しループ３０から外れることで、くの字型のフック１２０も外れ、着脱可能なキャップ６５側から金属製のバネが解放されることによりループ３０が閉まり、獣を捕獲する。【選択図】図５
0003210409.tif 000002
【実用新案登録請求の範囲】
【請求項１】
垂直に立てられた外管直径の異なる小径の円筒と大径の円筒から成り、少なくとも前記小径の円筒には底板が備わり、先端部にリングが取り付けられた金属製ワイヤーに当該ワイヤーを通すことで形成されるループが前記小径の円筒側面に巻き付けられ、前記ループを形成したワイヤーにて前記大径の円筒の上部肉厚部若しくは内周側面に保持された本体部と前記ループを絞るための装置を備えた狩猟捕獲罠
【請求項２】
請求項１記載のループを絞るための装置は、前記ループを形成したワイヤー他端部を遊嵌可能な孔を具備するキャップを両端に備えた金属製のバネが圧縮して収納されたパイプ内に貫通させた後にスイベルに固定し、前記円筒側に近い前記キャップは前記パイプに固定され、他端側の前記キャップは着脱自在とし、前記着脱自在のキャップの側面と前記固定キャップの側面若しくは前記パイプの側面には先端部にリングが取り付けられた針金が取り付けられ、前記リングは“への字型のフック”により両リングを留める構造とした請求項１記載の狩猟捕獲罠
【請求項３】
前記脱着自在のキャップを貫通したワイヤー直近には前記脱着自在のキャップの動きを止めるストッパー部品が取り付けられた事を特徴とする請求項１記載の狩猟捕獲罠
【請求項４】
前記金属製のバネを圧縮して収納されるパイプは当該狩捕獲罠の設置地面に横置きすることを特徴とする請求項１記載の狩猟捕獲罠。
【考案の詳細な説明】
【技術分野】
【０００１】本考案は、狩猟捕獲罠に関する。
【背景技術】
【０００２】代表的な猪等の獣を捕獲する装置としては、方形躯体に閉じ込める捕獲装置や獣が足を踏み込む事により連動していてバネ等を圧縮した状態を解放させることで前記獣の足を締めつけて捕らえる仕掛け罠がある。
【先行技術文献】
【特許文献】
【０００３】
【特許文献１】特開平６−２６１６６７号
【特許文献２】実用新案登録第３０９２９００号
【特許文献３】特開２００４−３５７１７４号
【０００４】
【考案の概要】
【考案が解決しようとする課題】
【０００５】特許文献１は、鋼製枠の金網パネルをボルトで締結する事により現地組立、解体、捕獲動物の搬送もできる方形躯体で、両端に開放口があり、そこに取り付けられた扉ガイドと、それに沿って上下動可能な扉を設置すると共に、屋根の部分のほぼ中央に、仕掛け装置を固定し仕掛け装置と開口部の両扉を連携させて扉を遮断する、野生動物の組立式捕獲装置であり、屋根上の仕掛け装置のレバーに仕掛け線条を結合し、床近くで滑車を介して反対側面の金網にその仕掛け線条を固定し、両扉を吊り上げている吊り線条を仕掛け装置のパイプに立っているストッパーピンに掛け、停止状態にしておく事で両扉を開口維持し、野生動物の挙動に起因して地面近くの仕掛け線条が引っ張られると前記停止部が解除し、両扉が遮断する事を特徴とする組立式野生動物捕獲装置が提案されている。【０００６】特許文献２は、底板上面にスプリングの下端部を固着し、このスプリングの径方向両側に立設するガイド板を前記底板に固定し、このガイド板の上部にフックを内外側回動自在に取り付け、このフック間に前記スプリングより小径の蓋を配置し、この蓋の中央部と前記底板との間に所望の復元を有するバネを弾圧させ、さらに、前記蓋と前記底板とを、枢軸が両フックを結ぶ直線と平行な蝶番を介して連結し、前記スプリングを圧縮した状態で、前記フックを内側に回動して圧縮スプリングの上動を阻止したのち、前記蓋で前記フックの回動を阻止可能に構成したことを特徴とする猪、その他の野性動物の捕獲罠が提案されている。【０００７】特許文献３は、猪等の獣がその足で過重をかけ踏み込む事により、獣足の下に仕掛けられた緊張の状態にセットされた平板等の仕掛けが移動し、その動きと連動していてバネ等を圧縮して運動量を貯めこみ、緊張を解放されると獣罠を締めつけて獣を捕らえる事を特徴とし、垂直に立て固定された円形等のパイプ筒で、その中に下方移動可能な網等の平板（以後、移動平板と云う）を取りつけてあり、移動平板は水平に保ち又下方に落ち込まないように一方を２箇所等仕掛筒に針金等で高さ固定され、対応する反対側には一体固定された針金等の端部を持つ、針金等の端部は仕掛筒の側の一部を切りぬいた外側に持出し、パイプ筒の外部に設置された下方移動可能な金輪等に引っ掛け高さ固定する構造を持つパイプ筒の、捕獲獣がパイプ筒の中の移動平板を上方より押さえることによって上記、パイプ筒の外部にあり、移動平板を水平仮固定している金輪等を下方に移動させる事を特徴とする“仕掛筒”部分と、バネ等を圧縮して運動量を貯めこみ、仕掛け筒の動きによって緊張を解放されると獣罠を締めつけて獣を捕らえる事を特徴とする捕獲罠が提案されている。【０００８】特許文献１および特許文献２の装置は、従来の課題である山林での設置の問題を解決するために組立式の檻を提案されているが運搬の課題を解決できていない。特許文献３の獣くくり罠装置に関しては前記特許文献に比較して軽量かつ設置が簡単であるが移動平板の移動方向に連動してバネ等を圧縮し収納するための筒を連動させるために装置構成上、当該筒を縦方向、すなわち地中内に埋め込む構造となっているため前記筒に取り付けられたキャップが解放し移動するための空間も地中に確保する必要があるため土壌の深堀を行わなければならず労力を要する。
【課題を解決するための手段】
【０００９】上記課題に鑑み、考案者は誠意工夫の結果、獣くくり罠装置であり装置自体の構造を簡略化させ、且つ安易に設置できる獣くくり罠を提案する。
本考案の獣くくり罠装置は、垂直に立てられた外管直径の異なる小径の円筒と大径の円筒から成り、少なくとも前記小径の円筒には底板が備わり、先端部にリングが取り付けられた金属製ワイヤーに当該ワイヤーを通すことで形成されるループが前記小径の円筒側面に巻き付けられ、前記ループを形成したワイヤーにて前記大径の円筒の上部肉厚部若しくは内周側面に保持された本体部と前記ループを絞るための装置を備えた狩猟捕獲罠である。【００１０】前記ループを絞るための装置は、前記ループを形成したワイヤー他端部を遊嵌可能な孔を具備するキャップを両端に備えた金属製のバネが圧縮して収納されたパイプ内に貫通させた後にスイベルに固定し、前記円筒側に近い前記キャップは前記パイプに固定され、他端側の前記キャップは着脱自在とし、前記着脱自在のキャップの側面と前記固定キャップの側面若しくは前記パイプの側面には先端部にリングが取り付けられた針金が取り付けられ、前記リングは“への字型のフック”により両リングを留めている。また、安全装置として前記脱着自在のキャップを貫通したワイヤー直近には前記脱着自在のキャップの動きを止めるストッパー部品が取り付けている。
【考案の効果】
【００１１】本考案によれば、従来の狩猟捕獲罠に比べ誰もが労力を要さずに簡単に設置できる。
【図面の簡単な説明】
【００１２】
【図１】ループを絞るための装置の外観図を示す。
【図２】本考案の一実施形態である狩猟捕獲罠の基本構造を示す。
【図３】金属製バネを圧縮収納させる円筒容器の内部構造を示す。
【図４】着脱自在のキャップを円筒容器に固定する構造を示す。
【図５】本考案である狩猟罠の完成図を示す。
【図６】（ａ）獣が捕獲される前の設置状態を示す。（ｂ）獣が捕獲された状態を示す。
【考案を実施するための形態】
【００１３】以下、本考案に係る実施の形態を図面により説明する。
【実施例】
【００１４】図１は、ループを絞るための装置外観図を示す。前記金属製ワイヤー（１）の一端にはリング（４０）が取り付けられ、前記金属製ワイヤー（１）を通すことで伸縮自在のループ（３０）が形成され、他端側は遊嵌可能な孔を具備する固定キャップ（６０）と着脱自在のキャップ（６５）を備えたパイプ（５０）内を貫通させ、図２に本考案である捕獲罠の基本構成を示すが底板に孔が備わった小径の円筒（１０）の側面に前記ループ（３０）を巻き付け、前記ループ（３０）により大径の円筒（２０）の肉厚部にて落下しないように保持させる。【００１５】前記パイプ（５０）の内部には図３に示すように金属製バネ（５）を圧縮収納させ、前記金属製バネ（５）を解放した際に前記キャップ（６５）の移動を防止するためにストッパー（７０）を取り付ける。また、前記着脱自在のキャップ（６５）側面には金属製“くの字型のフック”（１２０）を固定させ、固定キャップ（６０）側面には針金（１００）の一端を固定し他端側にリング（１１０）を取り付け、図４に示すように前記リング（１１０）を前記“くの字型のフック”（１２０）に連結させる構造とする。【００１６】図５は、本考案である狩猟捕獲罠の完成図を示す。ストッパー（７０）側のロープ（１）に端部にはスイベル（８０）が取り付けられ、前記スイベル（８０）の他端にはロープ（２００）が取り付けられている。前記ロープ（２００）の他端は前記狩猟捕獲罠の付近の樹木等に固定させる。取り付け作業が終了した後に前記ストッパー（７０）のネジを緩め取り外すことで前記着脱自在のキャップ（６５）がワイヤー（１）をスライド移動できる状態にする。【００１７】図６（ａ）は、本考案である狩猟捕獲罠の実際の設置方法を示したものであり、図６（ｂ）は獣が当該狩猟捕獲罠に掛かった状態を示す。具体的には、本考案である狩猟捕獲罠の所定の位置に設置した円筒を地面に埋め込み、樹脂製の網（２００）を小径の円筒表面に覆い、枯葉や枝などを被せると同時に金属製のバネが収納された円筒容器等も地面に埋め込む等を行い獣に気付かれないようにする【００１８】獣の脚（４００）が前記樹脂製の網（２００）で覆った小径の円筒（１０）を踏み下げると前記小径の円筒（１０）からループ（３０）が外れると、“くの字型のフック”（１２０）もリング（１１０）から外れるために圧縮していた金属製のバネ（５）が解放され前記ループ（３０）が前記獣の脚（４００）を締め付けることで捕獲が可能となる。【００１９】なお、本考案にかかる狩猟捕獲罠の具体的な構成は、下記の実施形態に限られるものでなく、考案の要旨を逸脱しない範囲で変更可能である。例えば、垂直に重ねる円筒を多角形の容器に代えることも可能である。
【符号の説明】
【００２０】１      金属製のワイヤー
５      金属製のバネ
１０    小径の円筒
２０    大径の円筒
３０    ループ
４０    リング
５０    パイプ
６０    固定キャップ
６５    着脱自在のキャップ
７０    ストッパー
８０    スイベル
１００  針金
１１０  リング
１２０  くの字型のフック
２００  ロープ
３００  網
４００  獣の脚
【図１】
0003210409.tif 000003
【図２】
0003210409.tif 000004
【図３】
0003210409.tif 000005
【図４】
0003210409.tif 000006
【図５】
0003210409.tif 000007
【図６】
0003210409.tif 000008
【手続補正書】
【提出日】平成29年2月20日(2017.2.20)
【手続補正１】
【補正対象書類名】実用新案登録請求の範囲
【補正対象項目名】全文
【補正方法】変更
【補正の内容】
【実用新案登録請求の範囲】
【請求項１】
垂直に立てられた外管直径の異なる小径の円筒と大径の円筒から成り、少なくとも前記小径の円筒には底板が備わり、先端部にリングが取り付けられた金属製ワイヤーに当該ワイヤーを通すことで形成されるループが前記小径の円筒側面に巻き付けられ、前記ループを形成したワイヤーにて前記大径の円筒の上部肉厚部若しくは内周側面に保持された本体部と前記ループを絞るための装置を備えた狩猟捕獲罠
【請求項２】
請求項１記載のループを絞るための装置は、前記ループを形成したワイヤー他端部を遊嵌可能な孔を具備するキャップを両端に備えた金属製のバネが圧縮して収納されたパイプ内に貫通させた後にスイベルに固定し、前記円筒側に近い前記キャップは前記パイプに固定され、他端側の前記キャップは着脱自在とし、前記着脱自在のキャップの側面と前記固定キャップの側面若しくは前記パイプの側面には先端部にリングが取り付けられた針金が取り付けられ、前記リングは“への字型のフック”により両リングを留める構造とした請求項１記載の狩猟捕獲罠
【請求項３】
前記着脱自在のキャップを貫通したワイヤー直近には前記着脱自在のキャップの動きを止めるストッパー部品が取り付けられた事を特徴とする請求項２記載の狩猟捕獲罠
【請求項４】
前記金属製のバネを圧縮して収納されるパイプは当該狩捕獲罠の設置地面に横置きすることを特徴とする請求項２記載の狩猟捕獲罠。